(57)【要約】【課題】より多くの土砂や客土を長期に亘り保持・確保し得る厚金網の提供を課題とする。【解決手段】螺旋状に折曲した複数の列線２，２を各折曲部２１，２１で順次連結してなると共に、列線進行方向における端面視で、各列線２，２の描く螺旋形状Ｘが非扁平の厚金網である。列線２における金網表面側に臨む上線２２と、列線２における金網裏面側に臨む下線２３の双方に曲げ部分３，３を設けたことを特徴とする。【選択図】図１
2016121432.tif 000002
【特許請求の範囲】
【請求項１】
螺旋状に折曲した複数の列線を各折曲部で順次連結してなると共に、列線進行方向における端面視で各列線の描く螺旋形状が非扁平の厚金網であって、
前記列線における金網表面側に臨む上線と、前記列線における金網裏面側に臨む下線の少なくとも一方に曲げ部分が設けられていることを特徴とする厚金網。
【請求項２】
前記列線は、前記曲げ部分が二辺の直線状からなるように折り曲げられていることを特徴とする請求項１に記載の厚金網。
【請求項３】
前記曲げ部分における列線の折り曲げ角度は、前記曲げ部分を間に挟む列線のなす角で８０°から１３０°となるように設定されていることを特徴とする請求項１又は２に記載の厚金網。
【請求項４】
前記厚金網は、浸食防止用ネットであることを特徴とする請求項１から３の何れかに記載の厚金網。
【請求項５】
螺旋状に折曲した複数の列線を各折曲部で順次連結してなると共に、列線進行方向における端面視で各列線の描く螺旋形状が非扁平の厚金網の編網方法であって、
前記列線における金網表面側に臨む上線と、前記列線における金網裏面側に臨む下線の少なくとも一方に曲げ部分を設けたことを特徴とする厚金網の編網方法。
【請求項６】
前記列線を前記曲げ部分において二辺の直線状からなるように折り曲げたことを特徴とする請求項５に記載の厚金網の編網方法。
【請求項７】
前記曲げ部分における列線の折り曲げ角度を、この曲げ部分を間に挟む列線のなす角で８０°から１３０°となるように設定したことを特徴とする請求項５又は６に記載の厚金網の編網方法。
【発明の詳細な説明】
【技術分野】
【０００１】
本発明は、螺旋状に折曲した複数の列線を各折曲部で順次連結してなる金網に関し、詳細には、列線進行方向における端面視で各列線の描く螺旋形状が非扁平の所謂厚金網（厚型金網）に関する。
【背景技術】
【０００２】
この種の従来技術として、本出願人が過去に出願した厚金網が知られている（特許文献１参照）。
この厚金網１００は、主に落石防護柵用の網として用いられ、その形状は、一般的な扁平の菱形金網と異なり、図５及び図６に示すように列線進行方向における端面視で各列線１０１の描く螺旋形状が長方形になっている。
すなわち、各列線１０１において、金網表面側に臨む部位１０２と、金網裏面側に臨む部位１０３とが、通常の金網に比べて厚さ方向に互いに大きく離間しており、このような編網構造を有することで金網の伸延性を増加させ、落石に対する衝撃吸収能力を高めている。
【先行技術文献】
【特許文献】
【０００３】
【特許文献１】特開平１１−３３６０２５号公報
【発明の開示】
【発明が解決しようとする課題】
【０００４】
また、近年、上記のような厚金網は、斜面の風化・浸食に伴う土砂災害の予防工、並びに斜面の緑化植生工用の敷設ネットとして用いられている。
上記の厚金網は、上述の如く列線進行方向における端面視で厚みを有するため、汎用の扁平菱形金網に較べて土砂及び客土（植生基材層）の保持力に優れている。このため既存の扁平菱形金網に換えて厚金網を敷設すると、多くの土砂及び客土を斜面上に保持することができる。
【０００５】
本出願人は、より多くの土砂や客土を斜面に保持すべく、厚金網敷設後の斜面の状況を観察した。すなわち、施工後の降雨に着目し、この降雨による土砂や客土の流れ出しを抑制することで、より多くの土砂や客土を、長期に亘り斜面上に保持・確保できる事を見出した。
とりわけ、山間の斜面や谷間における土砂災害の予防工では、相当量の雨量が見込まれるため、降雨対策は重要な課題である。また、斜面の緑化植生工では、客土の流出が発生すると緑化植生そのものが困難になり、また、その修繕に多くの費用を要する。
【０００６】
本発明は、このような背景を考慮してなされたもので、より多くの土砂や客土を長期に亘り保持、確保し得る厚金網の提供を課題とする。
【課題を解決するための手段】
【０００７】
上記した課題を解決するため、本発明は、
螺旋状に折曲した複数の列線を各折曲部で順次連結してなると共に、列線進行方向における端面視で各列線の描く螺旋形状が非扁平の厚金網であって、
前記列線における金網表面側に臨む上線と、前記列線における金網裏面側に臨む下線の少なくとも一方に曲げ部分が設けられていることを特徴とする。
【０００８】
このような構成によれば、列線の上線及び下線の何れか一方に曲げ部分を設け、この曲げ部分における列線の曲がりによって厚金網全域で目合いを詰めている。すなわち、厚金網の素線密度を厚金網全域で高め、これによって厚金網内に保持される土砂や客土の保持力を高めている。
ここで非扁平とは、螺旋状の各列線において、金網表面側に臨む部位と金網裏面側に臨む部位との少なくとも一方が曲げ部分を有し、各列線の描く螺旋形状が長方形等の扁平形状でないことをいう。
【０００９】
また、前記列線は、円弧状に曲げられるか、または、前記曲げ部分に角部が形成され、二辺の直線状からなるように折り曲げられる構成でもよい。
【００１０】
後者の構成では、曲げ部分の局所的な曲げ加工によって、列線にいわゆる加工硬化が生じるため列線が撓みづらくなる。
【００１１】
このような構成によれば、曲げ部分を間に挟む列線のなす角θ１が、θ１＜１８０となるように折り曲げ角度が設定された場合、つまり、この条件で列線を折り曲げると、列線は、曲げ部分において厚金網の厚さを増す方向に折れ曲がる。また、このように列線を折り曲げることで、厚金網の厚さが増し、その分、上線および下線の間に挟み込める土砂及び客土の量を増加させることができる。また、金網全体の目合いが詰まることによっても、挟み込める土砂及び客土の量が増加する。
なお、曲げ部分を間に挟む列線のなす角θ１を、θ１＞１８０°とした場合は、厚金網の厚みは増加しないが、金網の厚み方向の内側に曲げ部分が突出するため、土砂及び客土の保持力が向上する。
【００１２】
上記のように、この厚金網は、浸食防止用ネットとして好適に用いることができる。
【００１３】
すなわち、この厚金網の適用例として、斜面の風化・浸食に伴う土砂災害の予防工、並びに斜面の緑化植生工用の敷設ネットなどを例示できる。
【００１４】
また、上記した課題を解決するため、本発明は、以下の編網方法を提供する。
すなわち、螺旋状に折曲した複数の列線を各折曲部で順次連結してなると共に、列線進行方向における端面視で各列線の描く螺旋形状が非扁平の厚金網の編網方法であって、
前記列線における金網表面側に臨む上線と、前記列線における金網裏面側に臨む下線の少なくとも一方に曲げ部分を形成する工程を含むことを特徴とする。
【００１５】
また、前記列線を前記曲げ部分で二辺の直線状からなるように折り曲げてもよい。
【００１６】
また、前記曲げ部分における列線の折り曲げ角度で、この曲げ部分を間に挟む列線のなす角θ１を、８０°から１３０°に設定することができる。また、より好ましくは、９０°から１２０°とするのがよい。
【発明の効果】
【００１７】
以上、本発明によれば、より多くの土砂や客土を長期に亘り保持・確保し得る厚金網及びその編網方法を提供できる。
【図面の簡単な説明】
【００１８】
【図１】実施の形態１に係る厚金網の正面図。
【図２】図１に示す厚金網の側面図。
【図３】実施の形態２に係る厚金網の側面図
【図４】実施の形態３に係る厚金網であって、浸食耐久試験で用いた厚金網の側面図。
【図５】試験装置の概略構成図。
【図６】従来の厚金網を示す正面図。
【図７】図６に示す従来の厚金網の側面図。
【発明を実施するための最良の形態】
【００１９】
＜実施の形態１＞
以下、図面を参照して本発明の厚金網１を説明する。
図１及び図２に示すように、本実施の形態に示す厚金網１は、螺旋状に折曲した複数の列線２を各折曲部２１で順次連結してなると共に、列線進行方向における端面視で各列線２の描く螺旋形状が非扁平の編網構造を有する。
【００２０】
この厚金網を示す図面において、この厚金網の正面視に相当する図１では各列線２は、折り曲げられながら左右方向に延設されている。また、列線２は同図において上下多段に設けられ、隣り合う列線２，２間において、各列線２，２の折曲部２１，２１は互いに絡み合うように連結されている。
また、列線進行方向（図１において左右方向）に直交する方向の端面視に相当する図２では、各列線２において、金網表面側に臨む部位２２と金網裏面側に臨む部位２３とが、金網厚さ方向に十分離れて位置し、かつ、曲げ部分３を有する。本発明では、これを以て非扁平と称する。
以下において、金網表面側に臨む部位２２を列線の上線２２と、金網裏面側に臨む部位２３を列線の下線２３と、それぞれ称することとする。
【００２１】
本実施の形態に示す厚金網１では、上記の編網構造に加えて、各列線２の上線２２と下線２３の双方に曲げ部分３を設けている。曲げ部分３は、この厚金網特有の構造であり、この曲げ部分３において各列線の上線２２と下線２３に曲げ加工を施している。ここで折り曲げ部分の角度θ１は、１２０°である。
【００２２】
次に、この曲げ部分３について詳述する。
列線の上線２２及び下線２３の双方に設けられる曲げ部分３は、それぞれ厚金網１の厚さを増す方向に折り曲げられている。具体的には、曲げ部分３を間に挟む列線のなす角θ１が１８０°未満となるように折り曲げ角度が設定され（図２）、また、その曲げ角度は、上線２２と下線２３で等角になっている。つまり、図２に示すように、上線２２と下線２３は相反する方向に折り曲げられ、列線進行方向における端面視では、各列線２の描く螺旋形状（図２中のＸ参照）が略六角形になっている。
【００２３】
なお、曲げ部分３を間に挟む列線のなす角度θ１は、８０°から１３０°に設定することができる。また、より好ましくは、９０°から１２０°の範囲とするのがよい。
【００２４】
また、このように上線２２および下線２３に曲げ部分３を設けることで、図１中の距離Ｌが短くなって金網の目合いが詰まり、金網全域において、内部を厚さ方向に走る列線２が密に配設される。なお、以下の説明では、列線２において金網厚さ方向に走る部位を縦線２４と称する。
【００２５】
曲げ部分３と縦線２４との関係に着目すると、この厚金網１では、上線２２及び下線２３を金網厚さ方向に折り曲げているため、金網表裏面に沿って走る上線２２及び下線２３に縦方向（金網厚さ方向）の変位を与えることができる。つまり、上線２２及び下線２３の曲げ角度に応じた縦方向（金網厚さ方向）の変位を縦線２４の長さに実質加算できるため、縦線２４の実質的長さは実長よりも長くなる。
【００２６】
さらに、各列線２の螺旋ピッチ（図１中の符号Ｐ）と縦線２４との関係に着目すると、この厚金網１では、各列線２の螺旋ピッチＰを詰めることなく縦線２４を密に配設できる。言い換えれば、上線２２及び下線２３に曲げ部分３を設けたことで、網目の線角度（図１中θ）を小さくすることなく、縦線２４を密に配設できた。
【００２７】
このようにこの厚金網１の編網構造は、上線２２及び下線２３の曲げ部分３における列線２，２の曲がりによって線角度を小さくすることなく、厚金網全域の素線密度を増やすことができる。
【００２８】
＜実施の形態２＞
図３には実施の形態２に係る厚金網が示されている。この厚金網１Ａは、上線２２及び下線２３の曲げ部分３において、上線２２および下線２３がわずかに折り曲げられている（θ１＝１７５°）また、隣り合う列線２，２間で絡み合う折曲部２１も曲げ部分３同様の曲げ角で折り曲げられている。このように、θ１の角度は１８０°よりもわずかに小さいものであるが、この構造でも目合いが詰まる結果、上記の実施の形態１と同様に、金網の目合いが詰まり、金網全域において、内部を厚さ方向に走る列線２を、従来のものに比べて密に配設することができる。
【００２９】
＜実施の形態３＞
実施の形態１では、列線進行方向における端面視で六角形の厚金網１（図２）を例示したが、実施の形態３のものは、列線進行方向における端面視で各列線の描く螺旋形状が菱形の厚金網１Ｂである（図４参照）。
この厚金網１Ｂは、上線２２及び下線２３の曲げ部分３において、上線２２および下線２３がほぼ９０°折り曲げられている。また、隣り合う列線２，２間で絡み合う折曲部２１も曲げ部分３同様ほぼ９０°の曲げ角で折り曲げられている。なお、この厚金網１Ｂでは、縦線２４に相当する箇所が図面上見受けられないが、上述の如く上線２２及び下線２３の曲げ部分３から折曲部２１に掛けての区間が、実質、縦線２４として機能するため、上記した実施の形態２同様の作用効果を有する。
【００３０】
続いて、上記編網構造の厚金網１を土砂の浸食（流出）防止ネットに適用した場合について説明する。
通常、浸食防止ネットとして用いられる厚金網１は、載荷重に対する耐力を考慮して設置方向が決定される。ここで厚金網１の耐力を説明すると、厚金網１を構成している列線２は、上述の如く螺旋構造を有する。このため各列線２は、列線進行方向に対するピッチの変化（伸び）によって列線進行方向に変形し易くなる。したがって、厚金網１を設置する際には、これら各列線２の変形を抑制すべく列線２を斜面に対して横向きに設置する。
このように厚金網１を設置することで、斜面下方への厚金網１の伸びが抑制され、厚金網１によって斜面上に保持される土砂は、斜面下方にずれ落ちること無く斜面上に安定して保持される。
【００３１】
また、土砂に作用する保持力と縦線２４との関係を述べると、保持力は、縦線２４の数に比例して大きくなる。すなわち、土砂の保持力を生み出す抗力の多くは、縦線２４に対する土砂の引っ掛かりによって得られるため、通常、縦線２４を密に配設する程、土砂の保持力は増す関係にある。
この点、本発明の厚金網１は、各列線２の上線２２および下線２３に曲げ部分３を設けて網目合いを詰め、これによって厚金網全域に縦線２４を密に配設することができる。したがって、斜面上の土砂は、これら密に配設された縦線２４によって大きな抗力を受け、結果として斜面上に安定して保持される。
【００３２】
土砂に作用する保持力は、斜面に保持される土砂の量にも比例する。すなわち、土砂の保持力を生み出す抗力は、縦線２４と土砂の引っ掛かりのみならず、土砂と斜面との間に作用する摩擦力によっても生み出される。
この点、本発明の厚金網１は、各列線２の上線２２および下線２３に曲げ部分３を設けたことで上線２２及び下線２３における縦方向（斜面垂直方向）の変位を縦線２４の長さに換算して加算でき、また、これによって金網の厚さを増すことができるため、より多くの土砂を斜面上に保持できる。したがって、土砂と斜面との間に作用する摩擦力が増加し、土砂は、斜面から滑り落ちることが抑制され、より安定して保持される。
【００３３】
さらに、土砂の保持力と線角度（図１中のθ）との関係を述べると、線角度θは、土砂を保持する上では広角が望ましい。すなわち、斜面に沿って土砂がずれ落ちる方向と、その直下に位置する列線２とのなす角が大きい程、土砂は安定して列線上方に支持される。
本発明の厚金網１は、線角度θを大きく設定して、かつ、目合いを詰めて編網できるため土砂等の保持において有利である。この場合の線角度θは、例えば５５°から６５°の範囲に設定することが好ましいが、これに限定されるものではない。
【００３４】
また、降雨と線角度との関係に言及すれば、降雨に伴い各列線２をしたたり落ちる水滴は線角度が小さいほど早く流れ落ちる。このため線角度が小さくなる程、水滴は、列線周囲の土砂に浸透する割合が減少して、列線伝いに流れ落ちる量が増加するので、浸食度合いを高める水路が形成されやすくなる。  
この点、本発明の厚金網１は、線角度θを小さくすること無く編網できるため、列線２を伝って流れ落ちる水滴の多くは、列線周囲の土砂に浸透・拡散する。また、上述の各種作用による相乗効果も相まって、降雨時における土砂の浸食や流出が、抑制されることになる。
【００３５】
したがって、このような編網構造を有する本発明の厚金網を浸食防止用ネットとして斜面に敷設すると、従来に増して、より多くの土砂を安定して斜面上に保持することができる。また、ネット敷設後における降雨に対しても、高い浸食抑制効果が得られるため、長期に亘り土砂を斜面に安定して保持できる。
【００３６】
本発明の厚金網１は、列線の上線２２及び下線２３に曲げ加工を施しているため、この曲げ加工に起因した上線２２及び下線２３の加工硬化によって、金網厚さ方向に列線２が撓みづらく、例えば、敷設作業時において、作業員が厚金網の上に載ったとしても、金網厚さ方向に変形し難い構造であるため、その作業員の載荷重に対して強い抗力を示す。また、これによって設計通りの土砂を、安定して斜面上に保持、確保できるという効果も得られる。
【００３７】
＜試験例１＞
本発明の実施の形態３に係る厚金網１Ｂ(図４)を用いて、斜面の浸食に対する耐久試験を実施した。  
【００３８】
以下、この浸食耐久試験の詳細を説明する。
１．試験概要
緑化植生工用の施工面に見立てた斜面において、本発明の優位性を実証すべく、従来型厚金網を適用した場合と、本発明の厚金網を適用した場合とで、浸食度合いを比較する。
【００３９】
２．試験方法
所定の勾配を有する合板５０を設置し、さらに合板上方に孔の空いた水道ホース５１を設置した（図５参照）。また、表面に従来型厚金網を敷設した合板、及び本発明の厚金網を敷設した合板をそれぞれ用意し、それぞれの合板に対して手作業で客土を塗布して施工面に見立てた。また、水道ホース５１からの散水を人工降雨に見立て、各厚金網によって保持される客土に水を供給した（想定降雨量１００ｍｍ／ｈｒ）。また、所定時間経過後に各施工面における客土の浸食状況を比較した。
【００４０】
３．試験体
以下のような試験体１から３を用いた。
試験体１  従来型の厚金網（曲げ角度０°／線角度６０°／網目合７０ｍｍ）
試験体２  従来型の厚金網（曲げ角度０°／線角度３０°／網目合７０ｍｍ）
＊狭ピッチ仕様
試験体３  本発明に係る厚金網（曲げ角度９０°／線角度６０°／網目合５８ｍｍ）
【００４１】
４．試験結果
試験結果を表１に示す。
【００４２】
【表１】
2016121432.tif 000003
○：客土の流出なし    △：客土の流出小  ×：客土の流出大
【００４３】
５．評価
試験体３については、客土の流出を確認できなかった。
試験体１及び試験体２では、人工降雨に伴って客土の浸食が確認された。試験体１では客土の流出場所に沿って客土の浸食を伴う水路の形成が１本見られた。試験体２では、３本の同様の水路の形成が見られた。
【００４４】
６．考察
線角度の等しい試験体１と試験体３との比較結果から、目合いが狭いほど浸食抑制効果が高いということが確認できた。
また、目合いの等しい試験体１と試験体２との比較結果によれば、線角度が広いほど浸食抑制効果が高いということが確認できた。
【００４５】
７．まとめ
本発明の厚金網１Ａは、線角度を小さくすること無く目合いを詰めることができるため、従来型の厚金網（試験体１、及び試験体２）に較べて、高い浸食抑制効果が得られた。
また、本発明者のさらなる実験によれば、本発明の厚金網１Ａにおける浸食が、従来型の厚金網（試験体２）と同等の浸食状況に至る時間を計測したところ、２倍以上の時間を要した。すなわち、本発明の厚金網１Ａは、従来型厚金網１に較べて２倍以上の浸食抑制効果が得られたと言える。
【００４６】
なお、上記した実施の形態は、あくまでも本発明の一実施の形態であり、本発明に係る厚金網は各種仕様に応じて変更できる。
例えば、上記した実施の形態では、本発明の厚金網を土砂や客土の浸食防止用ネットに適用したが、他の実施例として、例えば、斜面等における砂礫の飛散防止ネット等にも使用できる。
【００４７】
上記した実施の形態では、列線２の上線２２及び下線２３に各々一カ所ずつ曲げ部分３を設けているが、２カ所、３カ所と曲げ部分３を増やしても良い。また、上線２２および下線２３の何れか一方のみに曲げ部分を設けても良い。すなわち、列線進行方向における端面視で各列線２の描く形状は、６角形及び菱形に限られず、５角形、８角形等、様々な形状を選択できる。
【００４８】
本実施の形態では、上線２２および下線２３の曲げ部分３において、各列線２，２をそれぞれ厚金網１の厚さを増す方向に折り曲げているが、線角度を小さくすること無く目合いを詰める目的で考えると、曲げ部分３の曲げ方は様々例示できる。例えば、上記した実施の形態では、曲げ部分３における列線２のなす角θ１を８０°から１３０°の範囲で設定しているが、逆にθ１に１８０°よりも大きい曲げ角度を設定し、曲げ部分３を厚金網１の内側に曲げ込んでも良い。また、曲げ部分３の曲げ方も、単に列線２を二辺の直線状からなる形状に折り曲げる所謂局所的な曲げに留まらず、曲げ部分３を緩やかなカーブで構成するか、或いは上線２２、下線２３，及び縦線２４が一連のカーブで繋がるループ形状など、様々な曲げ方を例示できる。
このように本発明の厚金網１は、特許請求の範囲の記載を逸脱しない限りにおいて、様々な形態とすることができる。
【符号の説明】
【００４９】
１  厚金網
１Ａ  厚金網
２  列線
３  曲げ部分
２１  折曲部
２２  上線
２３  下線
２４  縦線
５０  合板
５１  水道ホース
Ｌ  目合い
Ｐ  螺旋ピッチ
Ｘ  螺旋形状
θ  線角度
θ１  列線のなす角
【図１】
2016121432.tif 000004
【図２】
2016121432.tif 000005
【図３】
2016121432.tif 000006
【図４】
2016121432.tif 000007
【図５】
2016121432.tif 000008
【図６】
2016121432.tif 000009
【図７】
2016121432.tif 000010